(57)【特許請求の範囲】
【請求項１】
第１リズムの速度及び継続時間と、前記第１リズムとは速度が異なる第２リズムの速度及び継続時間と、を設定する操作が可能な設定部と、
前記設定部により設定された速度及び継続時間により前記第１リズムの信号と前記第２リズムの信号とを交互に出力する信号発生部と、
前記信号発生部に電力を供給する電池と、
前記信号発生部が出力したリズムの信号に駆動されてリズム音を発生する音発生部と、
耳に装着されて前記設定部、前記信号発生部、前記電池、及び前記音発生部を保持する筐体と、を備えることを特徴とする耳装着型音発生装置。
【請求項２】
前記設定部は、
複数桁の数値を表示可能な表示素子と、
前記表示素子に数値で表示される前記第１リズム及び前記第２リズムの速度及び継続時間を所定の順序で切り替える操作を入力する変更スイッチと、
前記表示素子に表示された数値を増加させる操作を入力する増加スイッチと、
前記表示素子に表示された数値を減少させる操作を入力する減少スイッチと、を有することを特徴とする請求項１に記載の耳装着型音発生装置。
【請求項３】
前記設定部は、前記変更スイッチを押すごとに、前記第１リズムの速度、前記第１リズムの種類、前記第１リズムの継続時間、前記第２リズムの速度、前記第２リズムの種類、前記第２リズムの継続時間、を順番に前記表示素子に表示して、前記増加スイッチ及び前記減少スイッチによる前記表示素子に表示された数値の変更を可能にすることを特徴とする請求項２に記載の耳装着型音発生装置。
【請求項４】
前記信号発生部は、前記設定部により前記第１リズムの継続時間が規定数値に設定された場合は、前記第１リズムの信号を出力し続けることを特徴とする請求項１乃至３のいずれか１項に記載の耳装着型音発生装置。
【請求項５】
前記信号発生部は、前記設定部により前記第１リズムの速度が規定数値に設定された場合は、前記第１リズムの信号を出力することなく、前記第１リズムの継続時間の終了時に前記リズム音とは異なるアラーム音の信号を出力することを特徴とする請求項１乃至４のいずれか１項に記載の耳装着型音発生装置。
【請求項６】
前記信号発生部は、前記第１リズムと前記第２リズムとのうちの一方が他方よりも前記設定部によりもリズムの速度を大きく設定された場合、前記一方の前記信号の出力を前記他方の前記信号の出力よりも大きくすることを特徴とする請求項１乃至５のいずれか１項に記載の耳装着型音発生装置。
【請求項７】
前記信号発生部は、前記第１リズムと前記第２リズムとのうちの少なくとも一方における設定された継続時間が終了する所定時間前にリズムの種類又は出力の大きさを変化させることを特徴とする請求項１乃至６のいずれか１項に記載の耳装着型音発生装置。
【請求項８】
前記音発生部を耳孔の周囲の窪みに保持させた状態で前記筐体との間に耳を厚み方向に挟み込み可能なクリップ部を備えることを特徴とする請求項１乃至７のいずれか１項に記載の耳装着型音発生装置。
【請求項９】
リズムの速度及び継続時間を設定する操作と、複数のモードから１つのモードを選択して設定する操作と、が可能な設定部と、
前記設定部により設定された速度、継続時間、及びモードに基づく信号を出力する信号発生部と、
前記信号発生部に電力を供給する電池と、
前記信号発生部が出力した信号に駆動されて音を発生する音発生部と、
耳に装着されて前記設定部、前記信号発生部、前記電池、及び前記音発生部を保持する筐体と、を備え、
前記信号発生部は、前記設定部により速度と継続時間とを設定した２種類のリズムを交互に出力する第１のモードと、前記設定部により速度を設定した１種類のリズムを出力する第２のモードと、前記設定部により設定した継続時間の経過時にアラームを出力する第３のモードと、から前記設定部により設定された１つのモードを実行することを特徴とする耳装着型音発生装置。
【発明の詳細な説明】
【技術分野】
【０００１】
本発明は、耳に装着されてリズム音を耳穴の近傍で出力する耳装着型音発生装置に関する。
【背景技術】
【０００２】
耳に装着してリズム音を耳穴の近傍で出力するリズム発生装置が開発されている（特許文献１）。特許文献１のリズム発生装置は、小型軽量で耳へ装着する負担が少なく、リズム音を耳穴の近傍で出力するため、例えば、楽器演奏、ゴルフスイング、呼吸法等の練習、ランニング、エクササイズ、ウォーキング等のペースメークに使用可能である。
【０００３】
特許文献２のリズム発生装置は、耳に装着されるリズム発生装置において、表面に配置されたボタンを操作することにより、リズム音の速度である毎分拍数、２拍子、３拍子、４拍子等のリズムの種類、リズム音の出力音量を任意に設定して、一定のリズム音を連続して出力する。
【先行技術文献】
【特許文献】
【０００４】
【特許文献１】特開２０１５−５７７５４号公報
【特許文献２】特許３２９５０５１号公報
【発明の概要】
【発明が解決しようとする課題】
【０００５】
心肺機能や循環系機能を高めるトレーニングとして、速いピッチの運動と遅いピッチの運動とを交互に繰り返すインターバルトレーニングが提唱されている。しかし、特許文献２のリズム発生装置を用いてインターバルトレーニングを行う場合、２種類のピッチで行う運動のそれぞれの継続時間を管理するために、リズム発生装置とは別にタイマーが必要である。そして、タイマーの継続時間が終了する毎に、リズム発生装置を耳から取り外して、リズム音の毎分拍数を変更する設定操作が必要になる。
【０００６】
そこで、ＩＣレコーダ又はスマートフォンに２種類の速度のリズム音を録音しておき、２種類の速度のリズムをプログラムで自動的に切り替えて交互に再生することが提案された。しかし、アウトドアでの運動中、特許文献１のリズム発生装置に比較してはるかに重いＩＣレコーダやスマートフォンを身に着けて持ち運び続け、窮屈なイヤホンを装着し続ける必要がある。
【０００７】
本発明は、小型軽量に構成して耳へ装着する負担が少ない状態でインターバルトレーニング等、二種類のリズムを交互に使用する用途に対応できる耳装着型音発生装置を提供することを目的としている。
【課題を解決するための手段】
【０００８】
本発明の耳装着型音発生装置は、第１リズムの速度及び継続時間と、前記第１リズムとは速度が異なる第２リズムの速度及び継続時間と、を設定する操作が可能な設定部と、前記設定部により設定された速度及び継続時間により前記第１リズムと前記第２リズムの信号を交互に出力する信号発生部と、前記信号発生部に電力を供給する電池と、前記信号発生部が出力した前記信号に駆動されてリズム音を発生する音発生部と、耳に装着されて前記設定部、前記信号発生部、前記電池、及び前記音発生部を相互に置決めて保持する筐体と、を備えるものである。
【発明の効果】
【０００９】
本発明の耳装着型音発生装置によると、小型軽量に構成して耳へ装着する負担が少ない状態でインターバルトレーニング等、二種類のリズムを交互に使用する用途に対応できる耳装着型音発生装置を提供することができる。
【図面の簡単な説明】
【００１０】
【図１】実施の形態１の耳装着型音発生装置の装着状態の斜視図である。
【図２】耳装着型音発生装置の斜視図である。
【図３】耳装着型音発生装置の組み立て構造の説明図である。
【図４】耳装着型音発生装置の回路図の説明図である。
【図５】リズム信号の説明図である。
【図６】インターバルモードのリズム出力の制御のフローチャートである。
【図７】耳装着型音発生装置のリズム設定の制御のフローチャートである。
【図８】インターバル終了予告の制御のフローチャートである。
【図９】単一リズムモード及びタイマーモードのフローチャートである。
【発明を実施するための形態】
【００１１】
以下、図面を参照して本発明の実施形態を詳細に説明する。
【００１２】
＜実施の形態１＞  
（耳装着型音発生装置）
図１は実施の形態１の耳装着型音発生装置の装着状態の斜視図である。図２は耳装着型音発生装置の斜視図である。図１に示すように、耳装着型耳装着型音発生装置の一例である耳装着型音発生装置１０は、本体筐体１１が耳に係合し、耳に支持される。耳装着型音発生装置１０は、本体筐体１１とクリップ部（１３：図２）とで耳たぶ１ｃを挟み込んだ状態で、円板状の頭部１２が、耳穴１ａを囲む耳の窪み１ｂに嵌まり込んで、本体筐体１１が耳面上に保持される。
【００１３】
クリップ部１３は、頭部１２に収納した電子ブザー素子（６２：図３）を耳孔の周囲の窪みに位置させた状態で、本体筐体１１との間に耳を挟み込み可能である。ユーザーは、耳装着型音発生装置１０を装着する際に、頭部１２が耳の窪み１ｂに位置決められるように、本体筐体１１を移動させることにより、クリップ部（１３：図２）で耳たぶ１ｃを挟み込む位置を選んでいる。
【００１４】
頭部１２の外周面は、耳の窪み１ｂの内壁に緩く保持される。耳穴１ａを覆う耳の突起１ｄが頭部１２を押えつけて、本体筐体１１を耳面上に拘束しているので、激しい運動をしても頭部１２が耳の窪み１ｂから脱落することが阻止されている。また、頭部１２から立ち上った本体筐体１１の尾根部１１ｍが耳の突起１ｄに突き当たることで、耳の窪み１ｂの表面の耳の突起１ｄに対向する部分に頭部１２が緩く押し当てられている。これにより、クリップ部（１３：図２）で耳たぶ１ｃを挟み込む力が小さくても、本体筐体１１が耳面上に位置ずれ少なく強固に保持される。
【００１５】
（操作方法）
図２に示すように、設定部の一例である表示部５１、ＯＮ／ＯＦＦスイッチ５３、設定スイッチ５４、５５は、第１リズムの一例であるリズム１の速度及び継続時間と、リズム１とは速度が異なる第２リズムの一例であるリズム２の速度及び継続時間と、を設定する操作が可能である。
【００１６】
筐体の一例である本体筐体１１は、耳に装着されて、表示部５１、ＯＮ／ＯＦＦスイッチ５３、設定スイッチ５４、５５、集積回路５０、電池６１、及び電子ブザー素子６２を保持する。
【００１７】
ＯＮ／ＯＦＦスイッチ５３は、本体筐体１１の背面に設けられて、耳装着型音発生装置１０の動作をＯＮ／ＯＦＦする。耳装着型音発生装置１０は、ＯＮ／ＯＦＦスイッチ５３を短く１回押すごとに、リズム音を発生し続けるＯＮ状態と電源がＯＦＦされてリズム音を発生しなくなるＯＦＦ状態とに切り替わる。
【００１８】
表示部５１は、本体筐体１１に収容されて数値を表示する。表示部５１は、表示された数値を上方から視認可能である。本体筐体１１のクリップ部１３側の端面を挟む両側面に一対の設定スイッチ５４、５５が配置される。耳装着型音発生装置１０は、設定スイッチ５４、５５を押して表示部５１に表示されたリズムのパラメータを変更することができる。
【００１９】
耳装着型音発生装置１０は、ＯＮ／ＯＦＦスイッチ５３の長押しを用いて、後述するインターバルモードの２種類のリズムの速度と継続時間とを任意に設定できる設定モードへ移行可能である。耳装着型音発生装置１０は、ＯＮ／ＯＦＦスイッチ５３を長押しすると、設定モードが開始して、表示部５１に現在設定されているリズムの毎分拍数が表示される。表示部５１にリズムの毎分拍数が表示された状態で設定スイッチ５４を押すと、１回押すごとに表示部５１に表示された毎分拍数の数値が１０刻みで増加する。設定スイッチ５４の反対側の設定スイッチ５５を押すと、１回押すごとに表示部５１に表示された毎分拍数の数値が１０刻みで減少する。表示部５１に表示された三桁の数値を用いて、０〜２００の範囲で１０刻みの毎分拍数を設定可能である。このようにして、耳装着型音発生装置１０に所望の毎分拍数を設定する。
【００２０】
表示部５１にリズムの毎分拍数が表示された状態でＯＮ／ＯＦＦスイッチ５３を押すと、表示部５１に現在設定されているリズムの継続時間が分単位で表示される。表示部５１にリズムの継続時間が表示された状態で設定スイッチ５４を押すと、１回押すごとに表示部５１に表示された継続時間の数値が１刻みで増加する。設定スイッチ５４の反対側の設定スイッチ５５を押すと、１回押すごとに表示部５１に表示された継続時間の数値が１刻みで減少する。表示部５１に表示された三桁の数値を用いて、０〜９９９分の範囲で１分刻みの継続時間を設定可能である。このようにして、耳装着型音発生装置１０に所望の継続時間を設定する。
【００２１】
本体筐体１１のクリップ部１３側の端面に音量切り替えスイッチ５６が配置される。耳装着型音発生装置１０は、音量切り替えスイッチ５６をスライドさせて、リズム音の音量を大小二段階に切り替え可能である。
【００２２】
（内部構造）
図３は耳装着型音発生装置の組み立て構造の説明図である。図３に示すように、クリップ部１３は、ピン１３ｐによって下筐体１１ｂの柱部１４に回動可能に取り付けられている。クリップ部１３に設けたばね構造１３ｂによって、クリップ部１３は、下筐体１１ｂとの間にデテント機構を構成して耳を挟み込む。
【００２３】
上筐体１１ａと下筐体１１ｂの間に回路基板６０が配置される。回路基板６０の下面に、耳装着型音発生装置１０のリズム発生回路及び制御回路を構成するマイコン素子の集積回路５０が配置される。回路基板６０の上面に表示部５１が配置される。表示部５１は、３桁又は４桁の数値を表示可能な液晶素子である。回路基板６０の回路パターン上に、ＯＮ／ＯＦＦスイッチ（５３：図２）の電極であるドーム接点５３ｂが配置される。押しボタン５３ａは、上筐体１１ａに昇降可能に保持され、ドーム接点５３ｂを押圧する。
【００２４】
回路基板６０の上面に、設定スイッチ５４、５５の電極である共通電極５７、及びスイッチ電極５４ｂ、５５ｂが取り付けられている。共通電極５７の端部５４ｃ、５５ｃに対向させてスイッチ電極５４ｂ、５５ｂの可動部が配置される。押しボタン５４ａ、５５ａは、上筐体１１ａに移動可能に保持され、スイッチ電極２３ｂ、２４ｂの可動部を外側から押圧する。
【００２５】
下頭部１２ｂに電子ブザー素子６２が収容され、不図示の固定配線によって回路基板６０に接続されている。電子ブザー素子６２は、外周部分が下頭部１２ｂに固定され、中央部分が振動してリズム音を発生する。
【００２６】
回路基板６０の下面に電極端子６１ａ、６１ｂが固定されている。回路基板６０は、電池ホルダ１２ｃに収容されたボタン電池である電池６１から電極端子６１ａ、６１ｂを通じて電力供給を受ける。電池６１の上面のマイナス電極は、電極端子６１ａに接触する。電池６１の上面以外の面がプラス電極であって、電池６１の側面が電極端子６１ｂに接触する。
【００２７】
電池６１の残量が無くなると、ユーザーは、図２に示す本体筐体１１の頭部１２から外側へ電池ホルダ１２ｃを引き出して電池６１を新品に交換する。
【００２８】
（回路図）
図４は耳装着型音発生装置の回路図の説明図である。図５はリズム信号の説明図である。図５中、（ａ）はインターバルモード、（ｂ）は単一リズムモード、（ｃ）はタイマーモード、（ｄ）はリズム切り替えの予告である。
【００２９】
図４に示すように、集積回路５０は、電池６１から電力を供給されて、電子ブザー素子６２にリズム信号を出力する。電池の一例である電池６１は、集積回路５０に電力を供給する。集積回路５０は、ＲＯＭ５０ｃから読み出したプログラム及びデータをＲＡＭ５０ｂに保持して、ＣＰＵ５０ａがリズム出力の制御とリズム設定の制御を実行する。集積回路５０は、プログラムに従ってリズム信号を出力し、表示部５１に数値を表示する。
【００３０】
信号発生部の一例である集積回路５０は、表示部５１、ＯＮ／ＯＦＦスイッチ５３、設定スイッチ５４、５５により設定された速度及び継続時間により第１リズムの信号とリズム２の信号とを交互に出力する。集積回路５０は、ユーザーによるＯＮ／ＯＦＦスイッチ５３、設定スイッチ５４、５５の操作に応じて、表示部５１に表示されたリズムのパラメータの数値を変更する。集積回路５０は、ユーザーがＯＮ／ＯＦＦスイッチ５３、設定スイッチ５４、５５を操作して設定した各種モードのリズム信号を交互に出力する。
【００３１】
表示素子の一例である表示部５１は、複数桁の数値を表示可能である。変更スイッチの一例であるＯＮ／ＯＦＦスイッチ５３は、表示部５１に数値で表示されるリズム１及びリズム２の速度及び継続時間を所定の順序で切り替える操作を入力する。増加スイッチの一例である設定スイッチ５４は、表示部５１に表示された数値を増加させる操作を入力する。減少スイッチの一例である設定スイッチ５５は、表示部５１に表示された数値を減少させる操作を入力する。
【００３２】
図５の（ａ）に示すように、インターバルモードでは、ユーザーがＯＮ／ＯＦＦスイッチ５３を短く押すと、集積回路５０は、ＯＮ／ＯＦＦスイッチ５３を次回に短く押すまで、２種類のリズム速度のリズムを交互に出力する。第１のモードの一例であるインターバルモードは、リズムの速度と継続時間とを設定した２種類のリズムを交互に出力する。リズム１とリズム２のリズム信号は、上述したように、それぞれリズムの出力時間とリズムの速度とを任意に設定可能である。音発生部の一例である電子ブザー素子６２は、集積回路５０が出力したリズムの信号に駆動されてリズム音を発生する。
【００３３】
図５の（ｂ）に示すように、単一リズムモード（メトロノームモード）では、ユーザーがＯＮ／ＯＦＦスイッチ５３を短く押すと、集積回路５０は、ＯＮ／ＯＦＦスイッチ５３を次回に短く押すまで、１種類のリズム速度のリズム１を出力し続ける。
【００３４】
図５の（ｃ）に示すように、タイマーモードでは、ユーザーがＯＮ／ＯＦＦスイッチ５３を短く押すと、集積回路５０は、リズム信号を出力することなくタイムカウントを実行し、設定時間がカウントアップするとアラーム音を出力する。なお、タイムカウントの開始時に３秒間、ユーザーが作動を確認できるように、毎分拍数１２０のリズム信号を出力している。
【００３５】
（インターバルモード）
図６はインターバルモードのリズム出力の制御のフローチャートである。図６に示すように、ＣＰＵ５０ａは、ＯＮ／ＯＦＦスイッチ５３が短く押されるごとに（Ｓ１１、Ｓ１４、Ｓ１８）、２種類のリズム速度を交互に繰り返すインターバルモードのリズム出力のＯＮ／ＯＦＦを繰り返す。
【００３６】
ＣＰＵ５０ａは、リズム出力のＯＦＦ状態でＯＮ／ＯＦＦスイッチ５３が短く押されると（Ｓ１１のＹｅｓ）、リズム１の残時間を表示部５１に表示してカウントダウンさせつつ（Ｓ１２）、リズム１を出力する（Ｓ１３）。
【００３７】
ＣＰＵ５０ａは、ＯＮ／ＯＦＦスイッチ５３が短く押されると（Ｓ１４のＹｅｓ）、リズム出力を停止するが（Ｓ２０）、押されなければ（Ｓ１４のＮｏ）、リズム出力を継続する（Ｓ１５）。
【００３８】
ＣＰＵ５０ａは、リズム１の出力時間がカウントアップすると（Ｓ１５のＹｅｓ）、リズム２の残時間を表示部５１に表示してカウントダウンさせつつ（Ｓ１６）、リズム２を出力する（Ｓ１７）。
【００３９】
ＣＰＵ５０ａは、ＯＮ／ＯＦＦスイッチ５３が短く押されると（Ｓ１８のＹｅｓ）、リズム出力を停止するが（Ｓ２０）、押されなければ（Ｓ１８のＮｏ）、リズム出力を継続する（Ｓ１９）。
【００４０】
ＣＰＵ５０ａは、リズム２の出力時間がカウントアップすると（Ｓ１９のＹｅｓ）、リズム１の残時間を表示部５１に表示してカウントダウンさせつつ（Ｓ１２）、リズム１を出力する（Ｓ１３）。
【００４１】
なお、ここでは、リズム１、２の出力中、リズム１、２の残時間を表示部５１に表示したが、リズム１、２の出力中、リズム１、２のリズム速度の毎分拍数を表示部５１に表示してもよい。リズム１（２）の残時間とリズム１（２）のリズム速度とを例えば１０秒おきに交互に表示してもよい。
【００４２】
（リズム設定）
図７は耳装着型音発生装置のリズム設定の制御のフローチャートである。図７に示すように、ＣＰＵ５０ａは、ＯＮ／ＯＦＦスイッチ５３が２秒押し続けられると（Ｓ３１のＹｅｓ）、リズム設定モードを開始する（Ｓ３２）。リズム設定モードでは、リズム１の速度、リズム１の出力時間、リズム２の速度、リズム２の出力時間を順番に設定可能である。
【００４３】
ＣＰＵ５０ａは、ＯＮ／ＯＦＦスイッチ５３が２秒押し続けられると（Ｓ３１のＹｅｓ）、既に設定されているリズム１の毎分拍数の数値を表示部５１に表示して点滅させる（Ｓ３２）。ＣＰＵ５０ａは、ユーザーによる設定スイッチ５４、５５を通じたリズム１の毎分拍数の設定変更を可能にする（Ｓ３３）。
【００４４】
ＣＰＵ５０ａは、ＯＮ／ＯＦＦスイッチ５３が短く押されると（Ｓ３５のＹｅｓ）、既に設定されているリズム１の継続時間の数値を表示部５１に表示して点滅させる（Ｓ３６）。ＣＰＵ５０ａは、ユーザーによる設定スイッチ５４、５５を通じたリズム１の継続時間の設定変更を可能にする（Ｓ３７）。
【００４５】
ＣＰＵ５０ａは、ＯＮ／ＯＦＦスイッチ５３が短く押されると（Ｓ３９のＹｅｓ）、既に設定されているリズム２の毎分拍数の数値を表示部５１に表示して点滅させる（Ｓ４０）。ＣＰＵ５０ａは、ユーザーによる設定スイッチ５４、５５を通じたリズム２の毎分拍数の設定変更を可能にする（Ｓ４１）。
【００４６】
ＣＰＵ５０ａは、ＯＮ／ＯＦＦスイッチ５３が短く押されると（Ｓ４３のＹｅｓ）、既に設定されているリズム２の継続時間の数値を表示部５１に表示して点滅させる（Ｓ４４）。ＣＰＵ５０ａは、ユーザーによる設定スイッチ５４、５５を通じたリズム２の継続時間の設定変更を可能にする（Ｓ４５）。
【００４７】
ＣＰＵ５０ａは、設定モード中、ＯＮ／ＯＦＦスイッチ５３が２秒押し続けられた場合又はスイッチ操作が５秒途切れた場合（Ｓ３４のＹｅｓ、Ｓ３８のＹｅｓ、Ｓ４２のＹｅｓ、Ｓ４６のＹｅｓ）、リズム設定モードを終了して（Ｓ４８）、リズム出力を開始する（Ｓ１１のＹｅｓ：図６）
【００４８】
（音量差及び切り替え予告）
図８はインターバル終了予告の制御のフローチャートである。ウォーキングやランニングにおいて移動速度が大きい場合、風の音等で雑音が増え、リズム音を聞く集中力も下がる。このため、図５の（ａ）に示すように、耳装着型音発生装置１０は、リズム速度が高い場合はリズム速度が低い場合よりも音量を上げて、リズムを聞き逃さないようにする。一方、速度が小さい場合、音を聞く集中力が上がってリズム音が大きく聞こえるので、音量を下げてうるさく感じないようにする。集積回路５０は、リズム１とリズム２とのうちの一方が他方よりもリズムの速度を大きく設定された場合、大きく設定されたほうの信号の出力を他方の信号の出力よりも大きくする。
【００４９】
また、気持ちの準備ができていない状態でリズム速度が突然切り替わると、リズムの変化に対応できない場合がある。このため、図５の（ｄ）に示すように、耳装着型音発生装置１０は、二拍子でリズム出力を行って残時間が１０秒になると三拍子にリズムを切り替える。これにより、リズム速度の切り替わりを予告して、切り替わり時のショックを軽減する。なお、図５の（ａ）では、図示の都合上、リズム１とリズム２とを最初から最後まで二拍子のリズムで記載した。しかし、実際には、リズム１とリズム２とは、いずれも最後の１０秒間がそれぞれ三拍子のリズムに変更されている。集積回路５０は、リズム１とリズム２とのうちの少なくとも一方における設定された継続時間が終了する所定時間前にリズムの種類を変化させる。
【００５０】
図８に示すように、ＣＰＵ５０ａは、インターバルモードでは、強弱パルスの２拍子でリズム１のリズム信号を出力する（Ｓ５１）。
【００５１】
ＣＰＵ５０ａは、リズム１の毎分拍数がリズム２の毎分拍数以上の場合（Ｓ５３のＹｅｓ）、リズム１のリズム信号の振幅をリズム２のリズム信号の振幅よりも大きくする（Ｓ５４）。ＣＰＵ５０ａは、リズム１の毎分拍数がリズム２の毎分拍数未満の場合（Ｓ５３のＮｏ）、リズム１のリズム信号の振幅をリズム２のリズム信号の振幅よりも小さくする（Ｓ５５）。
【００５２】
ＣＰＵ５０ａは、残時間が１０秒に達するまで（Ｓ５６のＮｏ）、二拍子のリズムを継続する（Ｓ５１）。そして、残時間が１０秒に達すると（Ｓ５６のＹｅｓ）、三拍子のリズムを出力する（Ｓ５１）。
【００５３】
（単一リズムモード及びタイマーモード）
図９は単一リズムモード及びタイマーモードのフローチャートである。耳装着型音発生装置１０は、複数のモードから１つのモードを選択して設定する操作が可能である。耳装着型音発生装置１０は、リズム１の継続時間の設定時間を「０」に設定することで、メトロノームとして利用することができる。第２のモードの一例である単一リズムモードでは、リズムの速度を設定した１種類のリズムを出力する。図５の（ｂ）に示すように、設定されたリズム速度の毎分拍数で、リズム１のみを出力し続ける。集積回路５０は、リズム１の継続時間が０に設定された場合は、リズム１の信号を出力し続ける。
【００５４】
また、耳装着型音発生装置１０は、リズム１のリズム速度の毎分拍数を「０」に設定することで、タイマーとして利用することができる。第３のモードの一例であるタイマーモードでは、設定した継続時間の経過時にアラームを出力する。図５の（ｃ）に示すように、リズム音を発生することなくタイムカウントを実行して設定時間のタイムカウント終了時に耳穴の近くでアラーム音を出力する。集積回路５０は、リズム１の速度が０に設定された場合は、リズム１の継続時間の終了時に通常のリズム音とは異なるアラーム音の信号を出力する。
【００５５】
図９に示すように、ＣＰＵ５０ａは、ＯＮ／ＯＦＦスイッチ５３が短く押されたときに（Ｓ６１のＹｅｓ）、リズム１の継続時間が「０」に設定されている場合（Ｓ６３のＹｅｓ）、単一リズムモード（メトロノームモードＭＭ）を実行する。
【００５６】
ＣＰＵ５０ａは、メトロノームモードＭＭでは、表示部５１にリズム１のリズム速度の毎分拍数を表示して（Ｓ６４）、リズム１を出力し続ける（Ｓ６５）、その後、ＯＮ／ＯＦＦスイッチ５３が短く押されると（Ｓ６６のＹｅｓ）、リズム１の出力を停止し（Ｓ６７）、電源を切って表示部５１の表示をＯＦＦする（Ｓ６８）。
【００５７】
ＣＰＵ５０ａは、ＯＮ／ＯＦＦスイッチ５３が短く押されたとき（Ｓ６１のＹｅｓ）に、リズム１のリズム速度の毎分拍数が「０」に設定されている場合（Ｓ６２のＹｅｓ）、タイマーモードを実行する（ＭＴ）。
【００５８】
ＣＰＵ５０ａは、タイマーモードＭＴでは、表示部５１にリズム１の設定時間の残時間を表示してカウントダウンを行い（Ｓ７１）、リズム１の設定時間の残時間が０になると（Ｓ７２のＹｅｓ）、アラーム信号を出力する（Ｓ７３）。その後、ＯＮ／ＯＦＦスイッチ５３が短く押されると（Ｓ７４のＹｅｓ）、アラーム信号を停止し（Ｓ７５）、電源を切って表示部５１の表示をＯＦＦする（Ｓ６８）。
【００５９】
（実施の形態１の効果）
実施の形態１では、耳装着型音発生装置１０は、小型軽量であって、耳に係合して支持されるので、ＩＣレコーダ又はスマートフォンを用いてヘッドホンでリズムを聞く場合に比較して、携帯性に優れ、インターバルモードを用いて激しい運動と緩やかな運動を繰り返す際にも邪魔にならない。
【００６０】
実施の形態１では、電子ブザー素子６２を耳孔の周囲の窪みに保持させた状態で本体筐体１１とクリップ部１３との間に耳を挟み込む。このため、極めて小さな音量でリズムを利用でき、周囲にリズム音が漏れて迷惑をかけることがない。
【００６１】
実施の形態１では、表示部５１を用いて設定した速度及び継続時間で、リズム１の信号とリズム２の信号とを交互に出力する。このため、設定のための電源や機器を必要とせず、任意の場所で、耳装着型音発生装置１０だけを操作して任意の速度と継続時間の組み合わせを自在に設定できる。そして、直ちにインターバルトレーニングを開始できる。
【００６２】
実施の形態１では、リズム１の継続時間が０に設定された場合は、通常のメトロノームとして使用できる。このため、インターバルトレーニングのみならず、楽器演奏、音楽練習、ダンス練習、ゴルフ練習などでも利用できる。また、インターバルモードの設定と類似した手順でリズム速度を設定できる。規定数値の中でも０という特別な数値を使用するため、インターバルモードとメトロノームモードとの切り替えが直観的に理解し易く、継続時間＝０→連続出力という意外性もあって、操作手順を忘れにくい。
【００６３】
実施の形態１では、リズム１の速度が０に設定された場合は、リズム音を発生しない通常のタイマーとして使用できる。このため、インターバルトレーニングのみならず、目覚まし時計、試験、課題演習、休憩管理などでも利用できる。また、規定数値の中でも０という特別な数値を使用するため、インターバルモードの設定と類似した手順で設定時間を設定できる。このため、インターバルモードとタイマーモードとの切り替えが直観的に理解し易く、毎分拍数０→タイマーという意外性もあって、操作手順を忘れにくい。
【００６４】
実施の形態１では、リズム１とリズム２とのうちのリズム速度が大きいほうが小さいほうよりもリズム音が大きい。このため、リズム１とリズム２とで体感的な音量差が小さくなって快適にインターバルトレーニングを実行できる。
【００６５】
実施の形態１では、リズム１もリズム２も設定された継続時間が終了する所定時間前にリズムの種類が二拍子から三拍子に変化する。このため、リズムの切り替わり時期を予測して快適にインターバルトレーニングを実行できる。
【００６６】
＜その他の実施の形態＞
実施の形態１では、本体筐体１１とクリップ部１３とで耳たぶ１ｃを挟み込んで耳装着型音発生装置１０を耳面上に保持した。しかし、耳装着型音発生装置は、他の形態で耳に装着されてもよい。例えば、耳穴に挿入して装着するいわゆるカナル型の補聴器に類似した筐体で実施してもよく、耳にフックをひっかけて耳と後頭部の間に保持されるフック型の補聴器に類似した筐体で実施してもよい。
【００６７】
実施の形態１では、電池６１をボタン電池としたが、乾電池、空気電池、リチウムイオン電池等としてもよい。表示部５１は、液晶素子以外の表示素子、すなわちＬＥＤ表示素子、有機ＥＬ素子、電子ペーパー等で実施してもよい。出力部は、電子ブザー素子６２に限らず、スピーカで実施してもよい。
【００６８】
実施の形態１では、ＯＮ／ＯＦＦスイッチ５３を押すごとに、リズム１の速度、リズム１の継続時間、リズム２の速度、リズム２の継続時間、を順番に表示部５１に表示した。そして、設定スイッチ５４、５５による表示部５１に表示された数値の変更を可能にした。しかし、リズム１の速度に続いてリズム１の種類、リズム２の速度に続いてリズム２の種類を表示部５１に表示させて、設定スイッチ５４、５５によるリズムの種類の変更を可能にしてもよい。表示部５１にリズムの種類として、一拍子を１−１、二拍子を２−１、三拍子を３−１、四拍子を４−１、ロックリズムを４−２等と表示してもよい。
【００６９】
実施の形態１では、二拍子を三拍子に変更することでリズム速度の切り替えを予告することとした。しかし、予告のために変更するリズムのパラメータはリズムの種類には限らない。例えば、リズム速度の切り替えの１０秒前に、リズム信号の振幅（すなわち音量）、一時的なノイズ出力や出力停止、音声メッセージ等でリズム速度の切り替えを予告してもよい。
【００７０】
実施の形態１では、リズムパラメータの設定操作の延長上で、インターバルモード、単一リズムモード、及びタイマーモードの切り替えを行った。しかし、図２に示す音量切り替えスイッチ５６を、音量の切り替えではなくて、これらの３つのモードの切り替えに用いてもよい。図４に破線で示すように、音量切り替えスイッチ５６に三段階のシフト位置（５６ｅ）を設けて、三段階のシフト位置をそれぞれインターバルモード、単一リズムモード、及びタイマーモードに割り当ててもよい。
【符号の説明】
【００７１】
１：耳、１ａ：耳穴、１ｂ：耳の窪み、１ｃ：耳たぶ、
１０：耳装着型音発生装置、１１：本体筐体、１２：頭部、１３：クリップ部、
５０：集積回路（信号発生部）、５１：表示部（設定部）、５３：ＯＮ／ＯＦＦスイッチ（設定部）、５４、５５：設定スイッチ（設定部）、５８：マイコン素子、
６０：回路基板、６１：電池、６２：電子ブザー素子（音発生部）
【図１】
0006463879.tif 000002
【図２】
0006463879.tif 000003
【図３】
0006463879.tif 000004
【図４】
0006463879.tif 000005
【図５】
0006463879.tif 000006
【図６】
0006463879.tif 000007
【図７】
0006463879.tif 000008
【図８】
0006463879.tif 000009
【図９】
0006463879.tif 000010